(57)【要約】【課題】取付バネの周方向の位置と個数を変更可能とするともに、作業者一人でも取付バネによる取付作業を容易に行うことができる埋込型照明器具を提供する。【解決手段】取付壁部の取付穴Ｈに埋め込まれて設置される埋込型照明器具１００であって、灯具本体１１と、前記灯具本体１１を前記取付穴Ｈに取り付ける取付バネ７１と、前記灯具本体１１の外周に設けられ、前記取付バネ７１を支持するための取付バネ支持部５４と、を備え、前記取付バネ支持部５４は、前記灯具本体１１の周方向に略等角度間隔で５カ所以上設けられる。【選択図】図１
2015149199.tif 000002
【特許請求の範囲】
【請求項１】
取付壁部の取付穴に埋め込まれて設置される埋込型照明器具であって、
灯具本体と、
前記灯具本体を前記取付穴に取り付ける取付バネと、
前記灯具本体の外周に設けられ、前記取付バネを支持するための取付バネ支持部と、を備え、
前記取付バネ支持部は、前記灯具本体の周方向に略等角度間隔で５カ所以上設けられる、埋込型照明器具。
【請求項２】
請求項１に記載の埋込型照明器具であって、
前記取付バネ支持部は、前記灯具本体の周方向に略６０°間隔で設けられる、埋込型照明器具。
【請求項３】
請求項２に記載の埋込型照明器具であって、
前記略６０°間隔で配置された取付バネ支持部は、少なくとも２組有する、埋込型照明器具。
【請求項４】
請求項１から３のいずれか一項に記載の埋込型照明器具であって、
前記取付バネ支持部のうち４カ所において４つの前記取付バネが支持され、
当該４つの取付バネは、前記灯具本体の周方向において近接する２つの取付バネが灯具本体を中心に対向して配置される、埋込型照明器具。
【請求項５】
取付壁部の取付穴に埋め込まれて設置される埋込型照明器具であって、
灯具本体と、
前記灯具本体を前記取付穴に取り付ける取付バネと、
前記灯具本体の外周に設けられ、前記取付バネを支持するための取付バネ支持部と、
前記取付バネが配置された前記灯具本体の外周面から出没する出没部材を備え、
前記取付バネは、前記出没部材を出没させることで前記取付バネの延出方向に伸縮する、埋込型照明器具。
【請求項６】
取付壁部の取付穴に埋め込まれて設置される埋込型照明器具であって、
灯具本体と、
前記灯具本体を回動自在に支持する内枠と、
前記灯具本体及び前記内枠を回転自在に支持する外枠と、
前記外枠に径方向内側に向かって一部が突出する屈曲板バネと、を備え、
前記内枠は、その外周面において前記屈曲板バネに当接可能な位置にバネ係止部を備え、
前記バネ係止部は、前記内枠が所定位置まで回転するのを規制する位置に配置されている、埋込型照明器具。
【発明の詳細な説明】
【技術分野】
【０００１】
本発明は、埋込型照明器具に関する。
【背景技術】
【０００２】
従来、天井等に形成された取付穴に埋め込まれて取り付けられるダウンライト型の埋込型照明器具が知られている。この種の埋込型照明器具は、取付穴において照射方向に向けて配置される光源部と、該光源部を有する灯具本体と、該灯具本体から延設される電源部と、灯具本体を取付穴に固定する固定手段として取付バネを備えたものが知られている（例えば、特許文献１参照）。
【０００３】
特許文献１には、円柱形状の枠体の下端に鍔部材が取り付けられ、枠体の側面には複数個（特許文献１の図１では、３個）の取付バネが放射状に外側へ張り出して設けられた照明器具が開示されている。この照明器具は、天井の下面に鍔部材を当接させ、取付バネが天井の上面（天井裏）を下方へ押圧することにより、鍔部材と取付バネとで天井を挟んで取り付けられる。
【先行技術文献】
【特許文献】
【０００４】
【特許文献１】特開２０１３−１１４８１３号公報
【発明の概要】
【発明が解決しようとする課題】
【０００５】
特許文献１に開示された埋込型照明器具のように、取付バネの周方向の位置や個数は、あらかじめ設定されている。すなわち、従来の埋込型照明器具では、埋込型照明器具の大きさや重量、天井等の取付箇所の仕様に応じて、あらかじめ取付バネの周方向の位置や個数が決定されて製造される。しかしながら、あらかじめ取付バネの周方向の位置や個数が設定された埋込型照明器具では、天井等の取付箇所の厚さや強度等の実際の取付箇所の状況に応じて取付バネの周方向の位置や本数を変更することは困難である。また、特許文献１に開示された埋込型照明器具のように円柱形状の灯具の場合、灯具の径方向の大きさが大きくなると、取付バネの間隔が広くなり、作業者一人ですべての取付バネを弾性変形させて取付穴に取り付ける作業が難しくなり、作業性が悪化する。そのため、取付バネの周方向の位置と個数を任意に変更可能とするともに、作業者一人でも取付バネによる取付作業を容易に行うことができる埋込型照明器具が望まれる。
【０００６】
そこで、本発明は、上記課題に鑑みてなされたものであり、取付バネの周方向の位置と個数を変更可能とするともに、作業者一人でも取付バネによる取付作業を容易に行うことができる埋込型照明器具を提供することを目的とする。
【課題を解決するための手段】
【０００７】
本発明の解決しようとする課題は以上の如くであり、次にこの課題を解決するための手段を説明する。
【０００８】
即ち、本願に開示する埋込型照明器具は、
取付壁部の取付穴に埋め込まれて設置される埋込型照明器具であって、
灯具本体と、
前記灯具本体を前記取付穴に取り付ける取付バネと、
前記灯具本体の外周に設けられ、前記取付バネを支持するための取付バネ支持部と、を備え、
前記取付バネ支持部は、前記灯具本体の周方向に略等角度間隔で５カ所以上設けられるものである。
【０００９】
本願に開示する埋込型照明器具において、
前記取付バネ支持部は、前記灯具本体の周方向に略６０°間隔で設けられることが好ましい。
【００１０】
前記略６０°間隔で配置された取付バネ支持部は、少なくとも２組有することが好ましい。
【００１１】
本願に開示する埋込型照明器具において、
前記取付バネ支持部のうち４カ所において４つの前記取付バネが支持され、
当該４つの取付バネは、前記灯具本体の周方向において近接する２つの取付バネが前記灯具本体を中心に対向して配置されることが好ましい。
【００１２】
また、本願に開示する埋込型照明器具は、
取付壁部の取付穴に埋め込まれて設置される埋込型照明器具であって、
灯具本体と、
前記灯具本体を前記取付穴に取り付ける取付バネと、
前記灯具本体の外周に設けられ、前記取付バネを支持するための取付バネ支持部と、
前記取付バネが配置された前記灯具本体の外周面から出没する出没部材を備え、
前記取付バネは、前記出没部材を出没させることで前記取付バネの延出方向に伸縮するものである。
【００１３】
また、本願に開示する埋込型照明器具は、
取付壁部の取付穴に埋め込まれて設置される埋込型照明器具であって、
灯具本体と、
前記灯具本体を回動自在に支持する内枠と、
前記灯具本体及び前記内枠を回転自在に支持する外枠と、
前記外枠に径方向内側に向かって一部が突出する屈曲板バネと、を備え、
前記内枠は、その外周面において前記屈曲板バネに当接可能な位置にバネ係止部を備え、
前記バネ係止部は、前記内枠が所定位置まで回転するのを規制する位置に配置されている。
【発明の効果】
【００１４】
本発明によれば、取付バネの周方向の位置と個数を変更可能とするともに、作業者一人でも取付バネによる取付作業を容易に行うことができる。
【図面の簡単な説明】
【００１５】
【図１】本発明の実施例１に係る埋込型照明器具を斜め下方から見た斜視図。
【図２】実施例１の灯具本体を斜め上方から見た斜視図。
【図３】実施例１の灯具本体を示す平面図。
【図４】埋込型照明器具を取付穴に取り付けた状態を示す側面一部断面図。
【図５】取付バネ調整部を説明するための断面図であり、（ａ）はビスが無い状態を示す図、（ｂ）はビスを取り付けた状態を示す図。
【図６】本発明の実施例２に係る埋込型照明器具を斜め下方から見た斜視図。
【図７】実施例２の灯具本体を斜め下方から見た斜視図。
【図８】内枠を示す斜視図であり、（ａ）は内枠を斜め上方から見た斜視図、（ｂ）は内枠を斜め下方から見た斜視図。
【図９】内枠を示す平面図。
【図１０】外枠を示す斜視図であり、（ａ）は外枠を斜め上方から見た斜視図、（ｂ）は内枠を斜め下方から見た斜視図。
【図１１】外枠を示す平面図。
【図１２】図１１におけるＡ−Ａ線断面図。
【図１３】図９におけるＢ−Ｂ線断面図。
【図１４】外枠に内枠が嵌合した状態を示す断面図。
【発明を実施するための形態】
【００１６】
次に、発明の実施の形態について図を用いて説明する。本実施形態では、埋込型照明器具の実施例として、ダウンライト及びユニバーサルダウンライトを挙げて説明する。
【実施例１】
【００１７】
本発明の実施例１に係る埋込型照明器具１００について、図１から図５を用いて説明する。実施例１の埋込型照明器具１００は、取付壁部としての天井面Ｃに形成された丸型の取付穴Ｈに埋め込まれて設置されるダウンライトである。以下の説明では、上下方向は、埋込型照明器具１００が天井面Ｃに設置された状態における上下方向として説明する。また、上下方向に直交する方向を径方向として説明する。また、灯具本体１１の中心側を内側とし、その反対側を外側とする。また、本実施形態の説明において、上方から埋込型照明器具１００等を視た状態を平面視とする。上下方向に対して直交方向から埋込型照明器具１００等を視た状態を側面視とする。埋込型照明器具１００等の断面形状を視た状態を断面視とする。
【００１８】
埋込型照明器具１００は、図１に示すように、灯具本体１１と、該灯具本体１１に電線２０を介して電気的に接続される電源部９１とを備える。
なお、電源部９１及び電線２０については、図１、図６に図示し、他の図では図示を省略する。
【００１９】
灯具本体１１は、図１に示すように、光源部２１、反射部３１、ヒートシンク４１、枠体５１、及び取付バネ７１を有している。
【００２０】
光源部２１は、埋込型照明器具１００の照射面側に向けて光を出射する部分である。光源部２１は、ヒートシンク４１の下方であって枠体５１内に設けられている。光源部２１は、基板（図示せず）、パネル２４等を有している。
【００２１】
基板は、平板状に加工された基板面に、点光源である複数のＬＥＤ素子を備えたＬＥＤモジュールである。光源部２１は、ヒートシンク４１の下部に当接して配置され、ネジやソケット等の取付部材により取り付けられる。基板は、電線２０によって電源部９１と電気的に接続されている。
なお、本実施形態では、光源としてＣＯＢ型発光モジュールを用いたが、光源の種類はＣＯＢ型発光モジュールに限定されず、例えばＬＥＤ素子（表面実装タイプのＬＥＤ素子）や有機ＥＬ素子（ＯＬＥＤ）などであっても実現可能である。
また、基板は、熱伝導性シート（図示せず）や放熱グリスを介してヒートシンク４１に取り付けてもよく、これにより、光源部２１のより高い放熱性を得ることができる。
【００２２】
パネル２４は、光源部２１のＬＥＤ素子に対向して配置され、反射部３１の上方側の上開口部３２を閉塞し、ＬＥＤ素子からの光を透過及び拡散させて、平面状の照射面を形成する部材である。パネル２４は、透光性を有する半透明の樹脂素材等（例えば、アクリル樹脂）で形成される。パネル２４は、反射部３１の上端に位置決めされた状態で、ＬＥＤ素子に対向する位置に保持される。
なお、本実施例では、パネル２４が略平面状のものを説明したが、パネル２４は略平面状のものに限られない。例えば、パネル２４が上方又は下方に向けて湾曲した形状であってもよい。
【００２３】
反射部３１は、パネル２４を中心にして下方に向かって椀状に開いた形状の光源用リフレクターである。反射部３１は、図４に示すように、上開口部３２、断面視略ハ字状の周壁部３３、下開口部３４及びフランジ部３５を有している。反射部３１は、中央部において円形状の上開口部３２が形成され、該上開口部３２から延設される周壁部３３が下方に行くに従って広がる放物面状に形成される。周壁部３３の内周面は、光源部２１から発光される光を反射させる反射面となっている。反射部３１は、樹脂素材や金属素材等を用いて形成されている。反射部３１は、図４に示すように、その断面形状において上面側に上開口部３２及び下面側に下開口部３４が開口形成されている。
【００２４】
ヒートシンク４１は、熱伝導性が高いアルミニウム等の金属素材からなる放熱部材である。ヒートシンク４１は、基部４２、放熱フィン４３等を有している。ヒートシンク４１の外径は、枠体５１の円筒部５３の外径よりも小さく形成されている。基部４２は、略円柱状である部分である。放熱フィン４３は、基部４２上に配置され、複数の板状部材が交差して形成されている。すなわち、放熱フィン４３は、平面視において四方に延設される４つ板状部材からなる幹部と、各幹部から斜めに分岐される複数の板状部材により形成されている。ヒートシンク４１の下部には、枠体５１と、光源部２１とが装着される。
【００２５】
枠体５１は、取付穴Ｈに埋め込まれて設置され、取付穴Ｈに当接するものである。枠体５１は、熱伝導性が高いアルミニウム等の金属素材を用いて形成されている。枠体５１は、ヒートシンク４１の基部４２に、ネジ等の取付部材によって固定されるとともに、内部に光源部２１及び反射部３１が配置される部分である。枠体５１は、平面視略リング状の上板部５２、該上板部５２に連設される略円筒状に形成された円筒部５３、該円筒部５３の外周面に設けられる複数の取付バネ支持部５４、及び円筒部５３の下部周縁から外側に突出するフランジ部５５、及び、取付バネ調整部８１（図５参照）を有している。
【００２６】
取付バネ支持部５４は、取付バネ７１を枠体５１の外周に設けられ、取付バネ７１を支持する部分である。取付バネ支持部５４は、取付バネ７１における基端部７１ａの上下方向の中途部をガイドする一対の平板状突起である第１ガイド部材５６と、取付バネ７１における基端部７１ａの上部をガイドして保持する一対の溝状部分である第２ガイド部材５７と、取付バネ７１の被係止部７２が係止される突起状のバネ係止部５８を有している。取付バネ支持部５４は、取付バネ７１の基端部７１ａを第１ガイド部材５６及び第２ガイド部材５７により保持するとともにバネ係止部５８に取付バネ７１の被係止部７２を係止することにより固定することができる。取付バネ支持部５４は、取付バネ７１の被係止部７２を取付バネ支持部５４のバネ係止部５８への係止や該係止を解除することで、取付バネ支持部５４に対して取付バネ７１を容易に着脱することが可能である。
【００２７】
取付バネ支持部５４は、枠体５１の周方向に略等角度間隔で５カ所以上（本実施例では、５カ所）設けられる。本実施例では、図３に示すように、取付バネ支持部５４は、枠体５１の周方向に６０°間隔で設けられる。具体的には、取付バネ支持部５４は、位置Ｂに配置された取付バネ支持部５４を基点とすると、この基点となる取付バネ支持部５４から周方向に６０°間隔で（時計回り方向に６０°ずつ位相をずらして）５カ所設けられている。すなわち、この５カ所の取付バネ支持部５４は、枠体５１（円筒部５３）の直径方向に対向する一対の取付バネ支持部５４が６０°間隔で交差するように配置された２組のものと、円筒部５３の直径方向に対となる取付バネ支持部５４を有さない一個の取付バネ支持部５４とから構成される。
なお、本実施の形態では、位置Ｂに配置された取付バネ支持部５４と位置Ｄに配置された取付バネ支持部５４との間隔のみ１２０°である。
また、本実施の形態では、取付バネ支持部５４は、枠体５１の周方向に略等角度間隔に配置されている構成としたが、完全に等間隔に配置されたものを含むことは勿論、多少角度が不均等になっている構成も含む。
また、本実施の形態では、取付バネ支持部５４は、枠体５１の周方向に６０°間隔で設けられる構成としたが、配置角度は６０°に限定されるものではなく、５０〜７０°など多少の範囲を含むこととする。また、取付バネ支持部５４が略等間隔に６ヵ所以上設けられる場合は、配置角度が６０°未満になることがある。例えば、器具本体の外径が小さい場合は、設置作業者の手の大きさを考慮すると、配置角度が６０°よりも大きい方が設置作業がしやすくなる場合がある。一方、器具本体の外径が大きい場合は、配置角度が６０°よりも小さい方が設置作業がしやすくなる場合がある。したがって、本実施の形態における「６０°」は、完全な６０°だけでなく多少の数値範囲を含む「略６０°」と換言することができる。
また、取付バネ支持部５４は、灯具本体１１の周方向に略６０°間隔で設けられる２ヵ所の取付バネ支持部を含み、略６０°間隔で配置された取付バネ支持部は少なくとも２組有する構成とした。本実施の形態では、２組の取付バネ支持部５４は、位置Ａ・Ｂに配置された取付バネ支持部の組と、位置Ｃ・Ｄに配置された取付バネ支持部の組に該当する。
なお、取付バネ支持部５４の形状、位置、配置数等については、本実施例のものに限定されない。
【００２８】
フランジ部５５は、円筒部５３の下部の外周縁部から外側に突出して環状に形成される鍔部である。フランジ部５５は、灯具本体１１を天井面Ｃの取付穴Ｈに設置した状態で天井面Ｃに接触する部分である。
【００２９】
取付バネ７１は、灯具本体１１を天井面Ｃの取付穴Ｈに埋め込んで取り付けるための固定手段である。取付バネ７１は、枠体５１の周方向に配置された複数の取付バネ支持部５４において任意のバネ取付部４８に配設される。取付バネ７１は、ステンレス素材等からなる板状金属部材の中途部を複数箇所屈曲及び湾曲させて形成された板バネである。取付バネ７１は、図４に示すように、略Ｖ字状に形成された板バネである。取付バネ７１は、基端部７１ａに設けられた被係止部７２が枠体５１に設けられた取付バネ支持部５４のバネ係止部５８に係合することにより取付バネ支持部５４に固定されるとともに、自由端部７１ｂが灯具本体１１側方に延出されるものである。具体的には、取付バネ７１は、基端部７１ａが第１ガイド部材５６及び第２ガイド部材５７によりガイドされるとともに、基端部７１ａに設けられた被係止部７２が取付バネ支持部５４のバネ係止部５８に係止されることにより固定される。取付バネ７１を屈曲（弾性変形）した状態で埋込型照明器具１００を天井面Ｃの取付穴Ｈに設置した場合、取付バネ７１は、取付バネ７１が広がろうとする弾性力によって取付穴Ｈの周縁を押圧することでフランジ部５５との間で天井面Ｃを挟持し、埋込型照明器具１００を天井面Ｃに固定することができる。
なお、取付バネの形状、取付位置、本数等については、本実施形態のものに限定されない。
【００３０】
取付バネ調整部８１は、図５に示すように、取付バネ７１が配置された灯具本体１１（枠体５１）の外周面から出没する出没部材であるビス８３を備える。取付バネ調整部８１は、出没部材であるビス８３を径方向へ出没させることで、取付バネ７１を延出方向に伸縮または変位させることができる。すなわち、取付バネ調整部８１は、取付バネ支持部５４に支持された取付バネ７１を枠体５１の径方向外側に移動させて、枠体５１に対する取付バネ７１の位置を調整するものである。取付バネ調整部８１は、取付バネ７１における枠体５１との対向面７１ｃ(図５（ｂ）参照)を径方向外側に押し出して取付バネ７１を枠体５１の径方向外側に移動させる手段である。取付バネ調整部８１は、取付バネ支持部５４が有する一対の第１ガイド部材５６間の中央に設けられるビス取付部８２と、該ビス取付部８２に螺合可能な出没部材であるビス８３と、から構成される。取付バネ調整部８１では、図５に示すように、ビス取付部８２にビス８３を螺合することでビス８３先端が枠体５１の円筒部５３の表面から突出し、取付バネ７１の対向面７１ｃを押し出すことが可能である。すなわち、取付バネ調整部８１では、ビス取付部８２に取り付けたビス８３の螺合により、枠体５１に対する取付バネ７１の径方向の位置を調整することができる。
なお、取付バネ調整部８１が有するビス８３は、調整が必要な場合に用いればよく、調整の必要がない場合は、図５（ａ）に示すようにビス８３をビス取付部８２に取り付けなくてもよい。
【００３１】
電源部９１は、光源部２１が有するＬＥＤ素子に給電を行って、ＬＥＤ素子を点灯させるための電源装置である。電源部９１は、箱状の電源ケース９２内に直方形状に加工されたプリント配線板上に複数の電子部品が実装された電源回路が収容されたものである。電源部９１は、外部商用電源から供給される交流電流を所定の直流電流に変換し、変換後の電流を基板に実装された複数のＬＥＤ素子に供給するためのものである。電源部９１は、配線（図示せず）を介して端子台９３に電気的に接続されている。端子台９３は、電源部９１（電源ケース９２）の一端側（電線２０が挿通されている側の反対側）に配置されている。埋込型照明器具１００を天井面Ｃに取り付ける際、電源線（図示せず）により端子台９３と天井裏側の外部商用電源（図示せず）とを接続することで、電源部９１は外部商用電源と電気的に接続される。電源部９１と光源部２１の基板は電線（図示せず）によって電気的に接続されている。また、電源部９１において端子台９３と電源回路（図示せず）は、電線（図示せず）によって電気的に接続されている。
【００３２】
次に、埋込型照明器具１００を天井面Ｃに設置する手順について説明する。まず、図３に示すように、５カ所の取付バネ支持部５４のうち４カ所の取付バネ支持部５４に取付バネ７１が取り付けられる。この場合、取付バネ支持部５４のうち４カ所において４つの取付バネ７１が支持され、当該４つの取付バネ７１は、灯具本体１１（枠体５１）の周方向に近接する２つの取付バネ７１が灯具本体１１（枠体５１）を中心に対向して配置される。すなわち、図３において、位置Ａに配置された取付バネ７１と位置Ｂに配置された取付バネ７１との直線距離ＡＢは、位置Ａに配置された取付バネ７１と位置Ｃに配置された取付バネ７１との直線距離ＡＣに比べて小さい（直線距離ＡＢ＜直線距離ＡＣ）。このように４つの取付バネ７１のうち枠体５１の両側(図５においては左右両側)に近接した２つの取付バネ７１、７１が対向して配置された場合、埋込型照明器具１００を作業者が取付穴Ｈに取り付ける際に、取付バネ７１の弾性力に抗して左手で位置Ａ、Ｂに配置された２つの取付バネ７１、７１を灯具本体１１側に弾性変形させるとともに、右手で位置Ｃ、Ｄに配置された２つの取付バネ７１、７１を灯具本体１１側に弾性変形させることが容易にできる。この状態で灯具本体１１と各取付バネ７１とを取付穴Ｈに挿入する。そこで各取付バネ７１を弾性変形させていた両手を取付バネ７１から離すと、各取付バネ７１は元の形状に戻ろうとして取付穴Ｈの縁部に当接する。さらに灯具本体１１を上方に押し上げていくと、各取付バネ７１が取付穴Ｈの縁部に当接しながら、各取付バネ７１は弾性的に復元して拡開していく。そして、各取付バネ７１が更に拡開しようとする弾性的な付勢力により、灯具本体１１は上方に引き上げられることとなり、フランジ部５５が天井面Ｃ（取付穴Ｈの周縁）に当接した状態となって、埋込型照明器具１００が天井面Ｃの取付穴Ｈに設置されるのである。このように、本実施例の埋込型照明器具１００は、作業者一人で天井面Ｃの取付穴Ｈに容易に設置することができる。
【００３３】
以上のように、実施例１に係る埋込型照明器具１００によれば、取付バネ支持部５４は、灯具本体１１の周方向に略等角度間隔で５カ所以上設けられる。これにより、取付バネ７１の周方向の位置と個数を変更可能とするともに、作業者一人でも取付バネ７１による取付作業を容易に行うことができる。取付バネ支持部５４では、取付バネ７１の取付バネ７１の周方向の位置及び個数を任意に設定することができる。例えば、埋込型照明器具１００では、天井等の取付箇所の厚さや強度等の実際の取付箇所の状況に応じて取付バネ７１の周方向の位置や個数（本数）を変更することが可能である。また、図３に示すように取付バネ支持部５４を、前記灯具本体１１の周方向に６０°間隔で設けた場合は、取付バネ７１を灯具本体１１（枠体５１）の周方向に取付バネ７１を２〜５本の範囲で任意の位置の取付バネ支持部５４に設置することが可能である。
【００３４】
また、取付バネ支持部５４のうち４カ所において４つの取付バネ７１が支持され、当該４つの取付バネ７１は、灯具本体１１の周方向に近接する２つの取付バネ７１が灯具本体１１を中心に対向して配置される。これにより、例えば、従来のように等間隔（９０°の等角度間隔）で４方に取付バネが配置された埋込型照明器具に比べて、一部の取付バネ（位置Ａ・Ｂ間、Ｃ・Ｄ間）の間隔を小さくすることが可能となる。したがって、例えば作業者が左手人指し指で位置Ａの取付バネ７１を灯具本体１１側へ押して弾性変形させ、左手親指で位置Ｂの取付バネ７１を灯具本体１１側へ押して弾性変形させ、右手人指し指で位置Ｃの取付バネ７１を灯具本体１１側へ押して弾性変形させ、右手親指で位置Ｄの取付バネ７１を灯具本体１１側へ押して弾性変形させることができるので、作業者は片手で２つの取付バネ７１を弾性変形させることができる。これにより、作業者一人ですべての取付バネ７１を弾性変形させて取付穴Ｈに取り付ける作業が容易になり、作業性が向上する。つまり、埋込型照明器具１００によれば、作業者一人でも取付穴Ｈへの取付作業を容易に行うことができる。
【００３５】
また、実施例１に係る埋込型照明器具１００では、取付バネ７１が配置された灯具本体１１（枠体５１）の外周面から出没する出没部材であるビス８３を備え、該ビス８３を、取付バネ７１の内側面（枠体５１に対向する面）に接触させ、出没させることで取付バネ７１の延出方向に伸縮させる。これにより、灯具本体１１の重量が重い場合であっても、取付バネ調整部８１のビス８３を螺合することにより取付バネ７１を灯具本体１１（枠体５１）の外周面からより径方向外側に延出させて、灯具本体１１が自重により取付穴Ｈから下降することを防ぐことができる。特に、埋込型照明器具１００を薄い天井ボードに設置する場合に有効である。なぜなら、天井ボードが厚い場合は、灯具本体１１をネジ等の固定部材で天井ボードに固定することができるが、天井ボードが薄い場合はネジ等の固定部材を天井ボード打ち込むことができないからである。このように、埋込型照明器具１００では、灯具本体１１の設置強度を向上することができるとともに、高重量の灯具本体１１であっても安定して取付可能である。
なお、灯具本体１１が高重量になるのは、ヒートシンク４１が大型化することが主な原因である。ヒートシンク４１が大型化すると表面積が増えて放熱性が高まる。ＬＥＤは高輝度になるほど素子温度が上昇するため、ヒートシンク４１を大型化することでより高輝度のＬＥＤを搭載することが可能となる。したがって本実施の形態では、高輝度ＬＥＤを搭載しながら、照明器具の設置強度を向上させることができる。
【実施例２】
【００３６】
本発明の実施例２に係る埋込型照明器具２００について、図６から図１３を用いて説明する。実施例２の埋込型照明器具２００は、取付壁部としての天井面Ｃに形成された丸型の取付穴Ｈに埋め込まれて設置されるユニバーサルダウンライトである。以下の説明では、上下方向は、天井面Ｃに設置された状態における上下方向として説明する。また、上下方向に直交する方向を径方向として説明する。また、灯具本体１１１の中心側を内側とし、その反対側を外側とする。また、本実施形態の説明において、上方から埋込型照明器具２００等を視た状態を平面視とする。上下方向に対して直交方向から埋込型照明器具２００等を視た状態を側面視とする。埋込型照明器具１００等の断面形状を視た状態を断面視とする。
なお、実施例２に係る埋込型照明器具２００の説明において、実施例１に係る埋込型照明器具１００と実質的に同じ機能を有する部分は、図１から図５に示した埋込型照明器具１００と同じ符号を用いて詳しい説明を省略する場合がある。
【００３７】
実施例２の埋込型照明器具２００は、灯具本体１１１を、外枠１１２を介して天井面Ｃに形成された丸型の取付穴Ｈに埋め込んで取り付ける点が、主に実施例１と異なるところである。埋込型照明器具２００を取付穴Ｈに取り付ける場合、先ず外枠１１２を取付穴Ｈに取り付けてから、該取付穴Ｈに取り付けた外枠１１２の内側部分に灯具本体１１１が取り付けられる。
【００３８】
埋込型照明器具２００は、図６に示すように、灯具本体１１１と、該灯具本体１１１に電線２０を介して電気的に接続される電源部９１と、取付バネ１７１を有する外枠１１２を備える。
なお、電源部９１及び電線２０については、図１、図６に図示し、他の図では図示を省略する。
【００３９】
灯具本体１１１は、図６に示すように、光源部２１、反射部１３１、ヒートシンク４１、円筒状の灯具主体１５１、及び内枠１６１を有している。
【００４０】
光源部２１は、埋込型照明器具２００の照射面側に向けて光を出射する部分である。光源部２１は、ヒートシンク４１の下方であって灯具主体１５１内に設けられている。光源部２１は、基板（図示せず）、パネル２４等を有している。
【００４１】
パネル２４は、光源部２１のＬＥＤ素子に対向して配置され、反射部１３１の上方側の上開口部１３２を閉塞し、ＬＥＤ素子からの光を透過及び拡散させて、平面状の照射面を形成する部材である。パネル２４は、透光性を有する半透明の樹脂素材等（例えば、アクリル樹脂）で形成される。パネル２４は、反射部１３１の上端に位置決めされた状態で、ＬＥＤ素子に対向する位置に保持される。
なお、本実施例では、パネル２４が略平面状のものを説明したが、パネル２４は略平面状のものに限られない。例えば、パネル２４が上方又は下方に向けて湾曲した形状であってもよい。
【００４２】
反射部１３１は、パネル２４を中心にして下方に延設された円筒状の光源用リフレクターである。反射部１３１は、図７に示すように、上開口部１３２、略円筒状の周壁部１３３、下開口部１３４及び反射部１３１の先端側の外周を筒状に覆う先端枠１３５を有している。周壁部１３３の内周面は、光源部２１から発光される光を反射させる反射面となっている。反射部１３１は、樹脂素材や金属素材等を用いて形成されている。
【００４３】
ヒートシンク４１は、熱伝導性が高いアルミニウム等の金属素材からなる放熱部材である。ヒートシンク４１は、基部４２、放熱フィン４３等を有している。ヒートシンク４１の外径は、内枠１６１の外径よりも小さく形成されている。基部４２は、略円柱状である部分である。放熱フィン４３は、基部４２上に配置され、複数の板状部材が交差して形成されている。すなわち、放熱フィン４３は、平面視において四方に延設される４つ板状部材からなる幹部と、各幹部から斜めに分岐される複数の板状部材により形成されている。ヒートシンク４１の下部は、灯具主体１５１と、光源部２１とが装着される。
【００４４】
灯具主体１５１は、光源部２１の外装となる部分である。灯具主体１５１は、熱伝導性が高いアルミニウム等の金属素材を用いて形成されている。灯具主体１５１は、ヒートシンク４１の基部４２の下部に、ネジ等の取付部材によって固定されるとともに、内部に光源部２１が配置される部分である。灯具主体１５１は、上部周縁から径方向外側に突出するフランジ部１５２、該フランジ部１５２に連設される略円筒状に形成された円筒部１５３、及びフランジ部１５２の直径方向における両端と反射部１３１における直径方向の両端とが連結されるとともに下端部が内枠１６１の軸支部１６５に軸支される２つの連結部１５４を有している。
【００４５】
内枠１６１は、灯具主体１５１及び反射部１３１を回動自在に軸支するものである。内枠１６１は、略円筒状で熱伝導性が高いアルミニウム等の金属素材を用いて形成されている。内枠１６１は、図８に示すように、略円筒状の円筒部１６２と、該円筒部１６２の外周面の周方向に沿って設けられる複数の係止突起部１６３と、下部周縁から径方向外側に突出する内枠フランジ部１６４を有している。複数の係止突起部１６３と内枠フランジ部１６４とは、上下方向に所定の間隔を有して配置されている。内枠１６１の内径は、反射部１３１の外径より大きい。内枠１６１には、内枠１６１上端において径方向に対向して配置される２つの軸支部１６５を有している。軸支部１６５には、反射部１３１（先端枠１３５）の上端が回動可能に軸支される。内枠１６１は、外枠１１２と嵌合する際に複数の係止突起部１６３によって外枠１１２の内側へとガイドされる。内枠フランジ部１６４は、内枠１６１を外枠１１２に嵌合した際に、外枠１１２の第２環状部１１５の下面に当接する。
【００４６】
内枠１６１の係止突起部１６３は、内枠１６１を外枠１１２に嵌合する際に内枠１６１を外枠１１２の内側にガイドするとともに外枠１１２の第２環状部１１５の上部に係止される部分である。係止突起部１６３は、後述する凹部１１８に対応する箇所に設けられている。具体的には、係止突起部１６３は、上下方向に沿って板状のバネ係止部１６６を上部に備えた係止突起部１６３ａ、該係止突起部１６３ａに対して平面視において反時計周り方向に５５°の角度間隔で配置される係止突起部１６３ｂ、同じく係止突起部１６３ａに対して１１５°の角度間隔で配置される係止突起部１６３ｃ、係止突起部１６３ａに対して内枠１６１の直径方向に対向して配置される係止突起部１６３ｄ、係止突起部１６３ａに対して平面視において時計周り方向に１１０°の角度間隔で配置される係止突起部１６３ｅ、同じく７５°の角度間隔で配置される係止突起部１６３ｆにより構成されている。係止突起部１６３ａと係止突起部１６３ｄが内枠１６１の直径方向に対向して配置されるのに対して、軸支部１６５、１６５は、該直径方向に直交する位置に配置される。内枠フランジ部１６４の下端面には、係止突起部１６３ａ及びバネ係止部１６６に対応する位置に目印となる突起１６９が形成されている。バネ係止部１６６は、内枠１６１の外周面において後述する屈曲板バネ１６０に当接可能な位置に設けられる。なお、突起１６９は必須ではない。
【００４７】
外枠１１２は、略円筒状であって、天井面Ｃの取付穴Ｈに取り付けられるとともに、内枠１６１を嵌合することで、灯具本体１１１が装着される構成となっている。外枠１１２は、略円筒状の内筒部１１３と、該内筒部１１３の下端周縁から径方向外側に突出して形成される第１環状部１１４と、内筒部１１３の内周面から径方向内側に突出して形成される第２環状部１１５と、屈曲板バネ１６０(図６参照)が取り付けられる板バネ取付部１１６と、取付バネ１７１を支持する複数の取付バネ支持部１１７とを有している。第１環状部１１４は、天井面Ｃに形成された取付穴Ｈの周縁に当接される部分である。第１環状部１１４の外径は、取付穴Ｈの内径よりも大きく形成される。また、内筒部１１３の外径は、取付穴Ｈの内径よりも小さく、内筒部１１３の内径は、灯具本体１１１の外径よりも大きく形成されている。
【００４８】
第１環状部１１４は、内筒部１１３の下部の外周縁部から径方向外側に突出して環状に形成される鍔部である。第１環状部１１４は、埋込型照明器具２００を天井面Ｃの取付穴Ｈに設置した状態において天井面Ｃに接触する部分である。第１環状部１１４の内側には、図１０（ｂ）に示すように段差部１１４ａを有する。段差部１１４ａの上下方向の寸法は、内枠フランジ部１６４の上下方向の寸法と略同じである。
【００４９】
第２環状部１１５は、平面視略リング状の部分であり、内筒部１１３の内周面において内筒部１１３の下端近傍に設けられる。第２環状部１１５は、灯具本体１１１を下方に抜けないように複数の係止突起部１６３を支持するためのものである。第２環状部１１５は、灯具本体１１１における内枠１６１の係止突起部１６３に対応する位置となる複数箇所（本実施形態では、６箇所）が切り欠かれて、複数の凹部１１８が形成されている。
【００５０】
凹部１１８は、灯具本体１１１が有する内枠１６１を外枠１１２に嵌合する際に、灯具本体１１１が有する内枠１６１の外周面から径方向外側に複数突出する係止突起部１６３を所定の位置で上下方向に挿通可能であり、灯具本体１１１を外枠１１２の所定の位置で位置決めするために係止突起部１６３をガイドするものである。
なお、本実施例においては、凹部１１８は、係止突起部１６３に対向する箇所を切り欠いて構成しているが、凹部１１８の形状はこれに限定されるものではない。すなわち、凹部１１８の形状は、係止突起部１６３を上下方向にガイド可能であれば良い。
【００５１】
複数の凹部１１８は、複数の係止突起部１６３に対応する箇所に設けられている。具体的には、凹部１１８は、図１１に示すように、凹部１１８ａ〜１１８ｆを含む。凹部１１８ａは、係止突起部１６３ａを上下方向にガイドするとともに、内枠１６１を外枠１１２に嵌合する際の目印となる突起１１９が形成された位置に配置される。凹部１１８ｂは、係止突起部１６３ｂを上下方向にガイドするとともに、凹部１１８ａに対して平面視において反時計周り方向に５５°の角度間隔で配置される。凹部１１８ｃは、係止突起部１６３ｃを上下方向にガイドするとともに、凹部１１８ａに対して平面視において反時計周り方向に１１５°の角度間隔で配置される。凹部１１８ｄは、係止突起部１６３ｄを上下方向にガイドするとともに、凹部１１８ａに対して平面視において反時計周り方向に１８０°の角度間隔で配置される（該凹部１１８ｄは、凹部１１８ａに対して直径方向に対向する位置に配置される）。凹部１１８ｅは、係止突起部１６３ｅを上下方向にガイドするとともに、凹部１１８ａに対して平面視において反時計周り方向に２５０°の角度間隔で配置される。凹部１１８ｆは、係止突起部１６３ｆを上下方向にガイドするとともに、凹部１１８ａに対して平面視において時計周り方向に７５°の角度間隔で配置される。なお、図１１において符号１２０で示す凹部は、内枠１６１の軸支持部１６５に取付けるビス１５０（図７参照）が第２環状部１１５に干渉することを防ぐためのものである。
【００５２】
板バネ取付部１１６は、内筒部１１３の上部が側面視略長方形状に切り欠かれた切欠き部であり、屈曲板バネ１６０が取り付けられる。屈曲板バネ１６０は、外枠１１２の内面側に向けてＶ字状に屈曲した屈曲板バネである。屈曲板バネ１６０は、板バネ取付部１１６から径方向内側に一部が突出する形状であり、内枠１６１が外枠１１２に嵌合した状態で内枠１６１が外枠１１２に対して回動させた場合に、内枠１６１の外周面に設けられた突起であるバネ係止部１６６に当接することで内枠１６１の回動が規制され、内枠１６１が外枠１１２に対して容易に外れないようにロックされて、嵌合する。内枠１６１を外枠１１２から外す際は、バネ係止部１６６に当接した状態から内枠１６１を回動させることで、バネ係止部１６６で屈曲板バネ１６０を径方向外側へ押して弾性変形させ、バネ係止部１６６が屈曲板バネ１６０を乗り越える位置まで内枠１６１を回動させる。つまり、バネ係止部１６６は、内枠１６１の外周面において、内枠１６１が外枠１１２に対して所定位置まで回転するのを規制する位置に配置されている。
【００５３】
取付バネ支持部１１７は、外枠１１２を取付穴Ｈに固定する固定具である断面山形状の取付バネ１７１を取り付ける部分である。取付バネ支持部１１７は、内筒部１１３の円周上の４箇所に、直径方向に対向するように、９０°間隔で立設されている。取付バネ支持部１１７には、上下方向に縦穴１２１が形成されている。取付バネ１７１は、天井面Ｃに外枠１１２を固定するための固定手段であり、例えば作業者が取付バネ１７１の上端部を手指で押さえるとともに手指を縦穴１２１に挿通しながら下方に下げることで、上下方向に移動可能となるように、取付バネ支持部１１７に支持されている。取付バネ１７１の上端部は、外枠１１２を天井面Ｃの取付穴Ｈに取り付ける際に、手指の先を掛けて取付バネ１７１を引き下げるための部分である。取付バネ１７１は、一端側が取付バネ支持部１１７に固定され、他端側が取付バネ支持部１１７の外側において天井ボードに当接して、天井ボードを押さえる構成となっており、取付バネ１７１の他端側と外枠１１２の第１環状部１１４とで天井ボードを挟むことで、外枠１１２が天井ボードに固定される構成となっている。
【００５４】
取付バネ支持部１１７の縦穴１２１は、作業者が取付バネ１７１の上端部を手指で下方に下げた場合でも、指が入る程度の幅寸法を有している。これにより、作業者は、取付バネ１７１の上端を指で押圧しながら取付バネ支持部１１７の下方へと容易に下げていくことができる。
【００５５】
次に、埋込型照明器具２００を天井面Ｃに設置する手順について説明する。先ず、天井面Ｃの取付穴Ｈに外枠１１２を設置する。すなわち、取付穴Ｈへの外枠１１２の設置は、取付バネ１７１が取付バネ支持部１１７に対して上下移動可能に支持された状態で、外枠１１２を取付穴Ｈに挿入する。そして、天井面Ｃの取付穴Ｈに外枠１１２を嵌合し、この状態で取付バネ１７１の一端側を手指で押し下げるとともに、取付バネ１７１の他端側を天井面Ｃの上側（天井裏側）に当接させる。これにより、外枠１１２が取付バネ１７１により天井面Ｃの取付穴Ｈに固定される。続いて、外枠１１２に灯具本体１１１を取り付ける。すなわち、取付穴Ｈに固定された外枠１１２の内筒部１１３に灯具本体１１１に取り付けられた内枠１６１が挿通される。内枠１６１を適宜回動して内枠１６１に形成された目印である突起１６９を、外枠１１２に形成された目印である突起１１９（取付可能位置）に合わせると、係止突起部１６３ａが凹部１１８ａに上下方向において重なる。この位置では、複数の係止突起部１６３と複数の凹部１１８の各位置が一致する。この位置において内枠１６１を少し上方に上げると係止突起部１６３は凹部１１８にガイドされて係止突起部１６３が第２環状部１１５の上側に配置されるとともに、内枠１６１の内枠フランジ部１６４が外枠１１２の段差部１１４ａに当接する。この状態で内枠１６１を平面視において反時計回りに回すと内枠１６１に設けたバネ係止部１６６が屈曲板バネ１６０の弾性力に抗って回動すると該弾性力が解除され、内枠１６１が時計回りに容易に回らないようにロックされる。このロック状態は、内枠１６１が外枠１１２に対して回動した際に、内枠１６１の目印である突起１６９が、外枠１１２の目印である突起１１９に一致した位置から突起１２２へと移動したことでも確認可能である。また、図１１に示すように、凹部１１８ａの時計回り側に微小突起１２３を設けている。この微小突起１２３は、係止突起部１６３が凹部１１８にガイドされて係止突起部１６３が第２環状部１１５の上側に配置された後、内枠１６１の平面視における時計回りの回動を防止するためのものである。この場合、内枠１６１を時計回りに回動しようとしても凹部１１８ａの端部が微小突起１２３と干渉するので、内枠１６１が時計回りに回動することを防止できる。
【００５６】
一方、内枠１６１が外枠１１２に嵌合した状態から内枠１６１を取り外す場合は、上述した手順の逆の手順になり、内枠１６１の目印である突起１６９を、外枠１１２の目印である突起１１９（取り外し可能位置）に一致した位置まで回動させ、屈曲板バネ１６０を乗り越えさせる。これにより、灯具本体１１１を外枠１１２から取り外すことができる。このように、屈曲板バネ１６０によるロック機構を備えているため、屈曲板バネ１６０部分以外は、内枠１６１は外枠１１２からの規制を受けない。そのため、灯具本体１１１の回転時（向きを変える時）は、灯具本体１１１に対して回転負荷がかからずにスムーズに回転できる。また、内枠１６１の取り外し可能位置を突起１１９で示しているため、作業者が、不意に取り外し可能位置まで内枠１６１を回転させてしまうことを防ぐことができる。
【００５７】
また、本実施例では、外枠１１２が有する取付バネ支持部１１７の縦穴１２１を、指が入る大きさ（幅寸法）及び形状とした。これにより、施工性を向上させることができる。
【００５８】
また、内枠１６１が有する係止突起部１６３と外枠１１２が有する凹部１１８との配置においては、周方向の配置を本実施例のような角度間隔とすることで嵌合完了後（バネ係止部１６６が屈曲板バネ１６０を乗り越えた後）は、外枠１１２に対して係止突起部１６３が常に３点支持する状態となり、内枠１６１を回動しても外枠１１２から外れることがない。すなわち、外枠１１２は、嵌合完了後（バネ係止部１６６が屈曲板バネ１６０を乗り越えた後）、灯具本体１１１及び内枠１６１を回転自在に支持することができる。本実施例では、係止突起部１６３を６個設ける構成としているが、特に限定するものでない。係止突起部１６３を設ける数は、灯具の重量や口径に応じて設定することができる。
【符号の説明】
【００５９】
１１  灯具本体
５１  枠体
５４  取付バネ支持部
７１  取付バネ
１００  埋込型照明器具
Ｃ  天井面（取付壁部）
Ｈ  取付穴
【図１】
2015149199.tif 000003
【図２】
2015149199.tif 000004
【図３】
2015149199.tif 000005
【図４】
2015149199.tif 000006
【図５】
2015149199.tif 000007
【図６】
2015149199.tif 000008
【図７】
2015149199.tif 000009
【図８】
2015149199.tif 000010
【図９】
2015149199.tif 000011
【図１０】
2015149199.tif 000012
【図１１】
2015149199.tif 000013
【図１２】
2015149199.tif 000014
【図１３】
2015149199.tif 000015
【図１４】
2015149199.tif 000016